(57)【特許請求の範囲】
【請求項１】
左外側スピーカと左内側スピーカと右外側スピーカと右内側スピーカとが水平方向に配列され、サラウンド効果を発揮させるためのサラウンド成分が所定の周波数帯域にミックスされている左フロントチャンネル信号および右フロントチャンネル信号を出力するスピーカ装置であって、
前記左フロントチャンネル信号から前記サラウンド成分がミックスされている周波数帯域をカットする左側フィルタ手段と、
前記右フロントチャンネル信号から前記サラウンド成分がミックスされている周波数帯域をカットする右側フィルタ手段とを具備し、
前記左外側スピーカから前記左フロントチャンネル信号をフルレンジで出力させる共に、前記右外側スピーカから前記右フロントチャンネル信号をフルレンジで出力させ、前記左内側スピーカから前記左側フィルタ手段によって前記サラウンド成分がミックスされている周波数帯域がカットされた前記左フロントチャンネル信号を出力させると共に、前記右内側スピーカから前記右側フィルタ手段によって前記サラウンド成分がミックスされている周波数帯域がカットされた前記右フロントチャンネル信号を出力させることを特徴とするスピーカ装置。
【請求項２】
前記左フロントチャンネル信号および前記右フロントチャンネル信号には、リヤチャンネル信号を加工したリヤ成分が前記サラウンド成分としてミックスされていることを特徴とする請求項１記載のスピーカ装置。
【請求項３】
前記サラウンド成分を前記左フロントチャンネル信号および前記右フロントチャンネル信号の所定の周波数帯域にミックスする音場処理手段を具備することを特徴とする請求項１又は２記載のスピーカ装置。
【請求項４】
前記サラウンド成分は、前記左フロントチャンネル信号および前記右フロントチャンネル信号における所定の周波数以下の周波数帯域にミックスされており、
前記左側フィルタ手段および前記右側フィルタ手段は、前記サラウンド成分がミックスされている周波数よりも高いカットオフ周波数を有するハイパスフィルタであることを特徴とする請求項１乃至３のいずれかに記載のスピーカ装置。
【請求項５】
前記左側フィルタ手段および前記右側フィルタ手段は、オンオフ可能に構成されており、
前記左側フィルタ手段および前記右側フィルタ手段がオフ状態の場合には、前記左内側スピーカから前記左フロントチャンネル信号をフルレンジで出力させる共に、前記右内側スピーカから前記右フロントチャンネル信号をフルレンジで出力させることを特徴とする請求項１乃至４のいずれかに記載のスピーカ装置。
【請求項６】
前記左側フィルタ手段および前記右側フィルタ手段によってカットされる周波数帯域は、変更可能に構成されていることを特徴とする請求項１乃至５のいずれかに記載のスピーカ装置。
【請求項７】
左右の対からなる対スピーカを複数備え、サラウンド効果を発揮させるためのサラウンド信号を前記対スピーカからそれぞれ出力するスピーカ装置であって、
複数の前記対スピーカの内、前記対スピーカ間の距離がサラウンド効果を得るために必要な距離未満である前記対スピーカからは、前記サラウンド信号のサラウンド効果を発揮する周波数帯域をカットして出力されることを特徴とするスピーカ装置。
【請求項８】
前記サラウンド効果を得るために必要な距離は、略２０センチメートル以上であることを特徴とする請求項７記載のスピーカ装置。
【請求項９】
前記サラウンド信号には、リヤチャンネル信号を加工したリヤ成分がミックスされており、
複数の前記対スピーカの内、前記対スピーカ間の距離がサラウンド効果を得るために必要な距離未満である前記対スピーカからは、前記リヤ成分がミックスされた周波数帯域をカットして出力されることを特徴とする請求項７又は８記載のスピーカ装置。
【請求項１０】
左外側スピーカと左内側スピーカと右外側スピーカと右内側スピーカとが水平方向に配列されたスピーカ装置に、サラウンド成分が所定の周波数帯域にミックスされている左フロントチャンネル信号および右フロントチャンネル信号を供給するオーディオ信号供給装置であって、
前記サラウンド成分を左フロントチャンネル信号および右フロントチャンネル信号の所定の周波数帯域にミックスする音場処理手段と、
前記左フロントチャンネル信号から前記サラウンド成分がミックスされている周波数帯域をカットする左側フィルタ手段と、
前記右フロントチャンネル信号から前記サラウンド成分がミックスされている周波数帯域をカットする右側フィルタ手段とを具備し、
前記左フロントチャンネル信号をフルレンジで前記左外側スピーカに供給すると共に、前記右フロントチャンネル信号をフルレンジで前記右外側スピーカに供給し、前記左側フィルタ手段によって前記サラウンド成分がミックスされている周波数帯域がカットされた前記左フロントチャンネル信号を前記左内側スピーカに供給すると共に、前記右側フィルタ手段によって前記サラウンド成分がミックスされている周波数帯域がカットされた前記右フロントチャンネル信号を前記右内側スピーカに供給することを特徴とするオーディオ信号供給装置。
【発明の詳細な説明】
【技術分野】
【０００１】
本発明は、水平方向に複数のスピーカが配列されたスピーカ装置に関し、特にサラウンド処理が施された音声信号を水平方向に配列された複数のスピーカによって出力するスピーカ装置に関する。
【背景技術】
【０００２】
従来、左右のフロントスピーカのみを用いて疑似サラウンド効果を得るために、リヤスピーカ用の左右リヤチャンネル信号を加工してフロントスピーカ用の左右フロントチャンネル信号にミックスするサラウンド処理が行われている（例えば、特許文献１参照）。
【０００３】
また、同一の筐体に複数のスピーカが水平方向に配列されたスピーカ装置をステレオ化し、左チャンネル信号と右チャンネル信号とを出力する技術も提案されている（例えば、特許文献２参照）。
【０００４】
しかしながら、従来技術では、同一の筐体に複数のスピーカが水平方向に配列されたスピーカ装置を用いて、サラウンド処理が施された左右フロントチャンネル信号を出力した場合には、擬似リヤスピーカを聴取者位置で形成できないという問題点があった。
【０００５】
図４は、従来のスピーカ装置を用いてサラウンド処理が施された左右フロントチャンネル信号を出力した場合の問題点を説明するための説明図である。
すなわち、フロントの左右にそれぞれ複数のスピーカが配列されているスピーカ装置を用いて、サラウンド処理が施された左右フロントチャンネル信号を出力した場合には、各スピーカの特性ばらつきによって再生される位相が異なり、フロントからでた音波が、聴取者の耳に届くところで位相が変わるため、擬似リヤスピーカを聴取者位置で形成できない。
【０００６】
また、聴取者２０に音声信号が到達するまでの位相がリヤ擬似スピーカを形成するが、図４に示すように、筐体１の前面に、左外側スピーカ２と、左内側スピーカ３と、右内側スピーカ４と、右外側スピーカ５とが水平方向に配列されている場合には、左外側スピーカ２および右外側スピーカ５から出力される音声信号と、左内側スピーカ３および右内側スピーカ４から出力される音声信号とが合成されると、位相が本来の位相と変わりサラウンド効果が損なわれる。すなわち、例えば左外側スピーカ２から出力される音声信号２Ｌと右外側スピーカ５から出力される音声信号５Ｌとの合成でスピーカの広がりを形成するが、当該音声信号に左内側スピーカ３から出力される音声信号３Ｌと右内側スピーカ４から出力される音声信号４Ｌが合成されると、位相が本来の位相と変わりサラウンド効果が損なわれる。
【特許文献１】特開２００３−７０１００号公報
【特許文献２】特開平１１−２１５５８６号公報
【発明の開示】
【発明が解決しようとする課題】
【０００７】
本発明は斯かる問題点に鑑みてなされたものであり、その目的とするところは、サラウンド処理が施された左右フロントチャンネル信号を出力した場合にも、擬似リヤスピーカを聴取者位置で形成できるスピーカ装置を提供する点にある。
【課題を解決するための手段】
【０００８】
本発明は上記課題を解決すべく、以下に掲げる構成とした。
本発明のスピーカ装置は、左外側スピーカと左内側スピーカと右外側スピーカと右内側スピーカとが水平方向に配列され、サラウンド効果を発揮させるためのサラウンド成分が所定の周波数帯域にミックスされている左フロントチャンネル信号および右フロントチャンネル信号を出力するスピーカ装置であって、前記左フロントチャンネル信号から前記サラウンド成分がミックスされている周波数帯域をカットする左側フィルタ手段と、前記右フロントチャンネル信号から前記サラウンド成分がミックスされている周波数帯域をカットする右側フィルタ手段とを具備し、前記左外側スピーカから前記左フロントチャンネル信号をフルレンジで出力させる共に、前記右外側スピーカから前記右フロントチャンネル信号をフルレンジで出力させ、前記左内側スピーカから前記左側フィルタ手段によって前記サラウンド成分がミックスされている周波数帯域がカットされた前記左フロントチャンネル信号を出力させると共に、前記右内側スピーカから前記右側フィルタ手段によって前記サラウンド成分がミックスされている周波数帯域がカットされた前記右フロントチャンネル信号を出力させることを特徴とする。
【０００９】
さらに、本発明のスピーカ装置においては、前記左フロントチャンネル信号および前記右フロントチャンネル信号には、リヤチャンネル信号を加工したリヤ成分が前記サラウンド成分としてミックスされていることを特徴とする。
【００１０】
さらに、本発明のスピーカ装置においては、前記サラウンド成分を前記左フロントチャンネル信号および前記右フロントチャンネル信号の所定の周波数帯域にミックスする音場処理手段を具備することを特徴とする。
【００１１】
さらに、本発明のスピーカ装置においては、前記サラウンド成分は、前記左フロントチャンネル信号および前記右フロントチャンネル信号における所定の周波数以下の周波数帯域にミックスされており、前記左側フィルタ手段および前記右側フィルタ手段は、前記サラウンド成分がミックスされている周波数よりも高いカットオフ周波数を有するハイパスフィルタであることを特徴とする。
【００１２】
さらに、本発明のスピーカ装置においては、前記左側フィルタ手段および前記右側フィルタ手段は、オンオフ可能に構成されており、前記左側フィルタ手段および前記右側フィルタ手段がオフ状態の場合には、前記左内側スピーカから前記左フロントチャンネル信号をフルレンジで出力させる共に、前記右内側スピーカから前記右フロントチャンネル信号をフルレンジで出力させることを特徴とする。
【００１３】
さらに、本発明のスピーカ装置においては、前記左側フィルタ手段および前記右側フィルタ手段によってカットされる周波数帯域は、変更可能に構成されていることを特徴とする。
【００１４】
また、本発明のスピーカ装置においては、左右の対からなる対スピーカを複数備え、サラウンド効果を発揮させるためのサラウンド信号を前記対スピーカからそれぞれ出力するスピーカ装置であって、複数の前記対スピーカの内、前記対スピーカ間の距離がサラウンド効果を得るために必要な距離未満である前記対スピーカからは、前記サラウンド信号のサラウンド効果を発揮する周波数帯域をカットして出力されることを特徴とする。
【００１５】
さらに、本発明のスピーカ装置においては、前記サラウンド効果を得るために必要な距離は、略２０センチメートル以上であることを特徴とする。
【００１６】
さらに、本発明のスピーカ装置においては、前記サラウンド信号には、リヤチャンネル信号を加工したリヤ成分がミックスされており、複数の前記対スピーカの内、前記対スピーカ間の距離がサラウンド効果を得るために必要な距離未満である前記対スピーカからは、前記リヤ成分がミックスされた周波数帯域をカットして出力されることを特徴とする。
【００１７】
また、本発明のスピーカ装置においては、左外側スピーカと左内側スピーカと右外側スピーカと右内側スピーカとが水平方向に配列されたスピーカ装置に、サラウンド成分が所定の周波数帯域にミックスされている左フロントチャンネル信号および右フロントチャンネル信号を供給するオーディオ信号供給装置であって、前記サラウンド成分を左フロントチャンネル信号および右フロントチャンネル信号の所定の周波数帯域にミックスする音場処理手段と、前記左フロントチャンネル信号から前記サラウンド成分がミックスされている周波数帯域をカットする左側フィルタ手段と、前記右フロントチャンネル信号から前記サラウンド成分がミックスされている周波数帯域をカットする右側フィルタ手段とを具備し、前記左フロントチャンネル信号をフルレンジで前記左外側スピーカに供給すると共に、前記右フロントチャンネル信号をフルレンジで前記右外側スピーカに供給し、前記左側フィルタ手段によって前記サラウンド成分がミックスされている周波数帯域がカットされた前記左フロントチャンネル信号を前記左内側スピーカに供給すると共に、前記右側フィルタ手段によって前記サラウンド成分がミックスされている周波数帯域がカットされた前記右フロントチャンネル信号を前記右内側スピーカに供給することを特徴とする。
【発明の効果】
【００１８】
本発明のスピーカ装置は、左フロントチャンネル信号からサラウンド成分がミックスされている周波数帯域をカットする左側フィルタ手段と、右フロントチャンネル信号からサラウンド成分がミックスされている周波数帯域をカットする右側フィルタ手段とを設け、左外側スピーカから左フロントチャンネル信号をフルレンジで出力させる共に、右外側スピーカから右フロントチャンネル信号をフルレンジで出力させ、左内側スピーカから左側フィルタ手段によってサラウンド成分がミックスされている周波数帯域がカットされた左フロントチャンネル信号を出力させると共に、右内側スピーカから右側フィルタ手段によってサラウンド成分がミックスされている周波数帯域がカットされた右フロントチャンネル信号を出力させるよう構成することにより、サラウンド成分がミックスされている周波数帯域において、左内側スピーカおよび右内側スピーカから出力される音声信号が左外側スピーカおよび右外側スピーカから出力される音声信号に合成されることがないため、左外側スピーカと左内側スピーカと右外側スピーカと右内側スピーカとが同一の筐体に設けられたコンパクトなスピーカ装置を用いてサラウンド処理が施された左右フロントチャンネル信号を出力した場合にも、擬似リヤスピーカを聴取者位置で形成でき、容易にシアターシステムを設置できるという効果を奏する。
【００１９】
さらに、本発明のスピーカ装置は、左側フィルタ手段および右側フィルタ手段をオンオフ可能し、左側フィルタ手段および右側フィルタ手段がオフ状態の場合には、左内側スピーカから左フロントチャンネル信号をフルレンジで出力させる共に、右内側スピーカから右フロントチャンネル信号をフルレンジで出力させるように構成することにより、左右２個ずつのスピーカでフルレンジの左右フロントチャンネル信号をそれぞれ出力させることで、トータルパワーをアップさせることができるという効果を奏する。
【００２０】
さらに、本発明のスピーカ装置は、左側フィルタ手段および右側フィルタ手段によってカットされる周波数帯域を変更可能に構成することにより、映画や音楽のコンテンツで最適の周波数を選択できるようにして、聴取者がベストな音質又はサラウンド空間を作り出すことができるという効果を奏する。
【発明を実施するための最良の形態】
【００２１】
以下、本発明の実施の形態を図面に基づいて詳細に説明する。
【００２２】
（第１の実施の形態）
図１は、本発明に係るスピーカ装置の第１の実施の形態の構成を示す前面図であり、図２は、本発明に係るスピーカ装置の第１の実施の形態の構成を示すブロック図である。
【００２３】
第１実施の形態のスピーカ装置は、図１および図２を参照すると、筐体１の前面に、左外側スピーカ２と、左内側スピーカ３と、右内側スピーカ４と、右外側スピーカ５とが水平方向に配列されており、入力端子６から入力された５．１チャンネルのデジタル信号にサラウンド処理を施す音場処理部７と、音量調整を行う音量ボリューム８と、左外側スピーカ２および左内側スピーカ３ から出力する左フロントチャンネル信号を増幅する左側アンプ９と、右内側スピーカ４および右外側スピーカ５から出力する右フロントチャンネル信号を増幅する右側アンプ１０と、左内側スピーカ３から出力する左フロントチャンネル信号のカットオフ周波数以下の周波数帯域をカットするハイパスフィルタ（ＨＰＦ）１１と、右内側スピーカ４から出力する右フロントチャンネル信号のカットオフ周波数以下の周波数帯域をカットするＨＰＦ１２とからなる。
【００２４】
左外側スピーカ２と、左内側スピーカ３と、右内側スピーカ４と、右外側スピーカ５とは、同一のスピーカが用いられており、筐体１の前面に、水平方向に横一列に配列されている。なお、本実施の形態では、左右２個ずつのスピーカを配列するように構成したが、左右それぞれ３個以上のスピーカを配列するようにしても良い。この場合には、左スピーカの内、最も左側に配置された左スピーカを左外側スピーカ２として機能させ、他の左スピーカを左内側スピーカ３として機能させることになる。同様に、右スピーカの内、最も右側に配置された右スピーカを右外側スピーカ５として機能させ、他の右スピーカを右内側スピーカ４として機能させることになる。
【００２５】
音場処理部７は、例えば音場処理ＤＳＰ（Digital Signal Processor）として実装されており、入力端子６から５．１チャンネルのデジタル信号が入力されると、左右リヤチャンネル信号を加工したリヤ成分をサラウンド成分として左右フロントチャンネル信号にミックスするサラウンド処理を行い、サラウンド処理が施された左フロントチャンネル信号および右フロントチャンネル信号をそれぞれ出力する。なお、本実施の形態では、音場処理部７によって左右フロントチャンネル信号の５ｋＨｚ以下の周波数帯域にリヤ成分がミックスされるようになっている。なお、本実施の形態では、サラウンド成分としてリヤ成分を左右フロントチャンネル信号にミックスするように構成したが、左右フロントチャンネル信号がサラウンド効果を発揮させるためのサラウンド信号として機能するサラウンド成分であれば、リヤ成分に限られるものではない。
【００２６】
なお、音場処理部７によってサラウンド処理が施された左フロントチャンネル信号および右フロントチャンネル信号を左右の対からなる対スピーカでそれぞれ出力し、サラウンド効果を得るために必要な対スピーカ間の距離は、略２０ｃｍ以上であり、本実施の形態では、左外側スピーカ２と右外側スピーカ５と距離がサラウンド効果を得るために必要な距離以上に配置され、左内側スピーカ３と右内側スピーカ４との距離がサラウンド効果を得るために必要な距離未満に配置されている。
【００２７】
ＨＰＦ１１およびＨＰＦ１２におけるカットオフ周波数は、音場処理部７によって左右フロントチャンネル信号にリヤ成分がミックスされる周波数帯域よりも高い周波数に設定されており、本実施の形態では、６ＫＨｚに設定され、リヤ成分がミックスされる周波数帯域が含まれる６ＫＨｚ以下の周波数帯域をカットし、６ｋＨｚよりも高い周波数帯域の左右フロントチャンネル信号のみを左内側スピーカ３および右内側スピーカ４にそれぞれ供給するように構成されている。
【００２８】
従って、左外側スピーカ２からは、サラウンド処理が施された、すなわちリヤ成分がミックスされた左フロントチャンネル信号がフルレンジで出力されると共に、右外側スピーカ５からは、サラウンド処理が施された、すなわちリヤ成分がミックスされた右フロントチャンネル信号がフルレンジで出力される。これに対して、左内側スピーカ３からは、左フロントチャンネル信号の内のサラウンド処理が施されていない、すなわちリヤ成分がミックスされていないレンジのみが出力されると共に、右内側スピーカ４からは、右フロントチャンネル信号の内のサラウンド処理が施されていない、すなわちリヤ成分がミックスされていないレンジのみが出力される。
【００２９】
以上説明したように、第１の実施の形態によれば、左フロントチャンネル信号からサラウンド成分がミックスされている周波数帯域をカットするＨＰＦ１１と、右フロントチャンネル信号からサラウンド成分がミックスされている周波数帯域をカットするＨＰＦ１２とを設け、左外側スピーカ２から左フロントチャンネル信号をフルレンジで出力させる共に、右外側スピーカ５から右フロントチャンネル信号をフルレンジで出力させ、左内側スピーカ３からＨＰＦ１１によってサラウンド成分がミックスされている周波数帯域がカットされた左フロントチャンネル信号を出力させると共に、右内側スピーカ４からＨＰＦ１２によってサラウンド成分がミックスされている周波数帯域がカットされた右フロントチャンネル信号を出力させるよう構成することにより、サラウンド成分がミックスされている周波数帯域において、左内側スピーカ３および右内側スピーカ４から出力される音声信号が左外側スピーカ２および右外側スピーカ５から出力される音声信号に合成されることがないため、左外側スピーカ２と左内側スピーカ３と右内側スピーカ４と右外側スピーカ５とが同一の筐体１に設けられたコンパクトなスピーカ装置を用いてサラウンド処理が施された左右フロントチャンネル信号を出力した場合にも、擬似リヤスピーカを聴取者位置で形成でき、容易にシアターシステムを設置できるという効果を奏する。
【００３０】
なお、第１の実施の形態では、音場処理部７、音量ボリューム８、左側アンプ９、右側アンプ１０、ＨＰＦ１１およびＨＰＦ１２を、左外側スピーカ２、左内側スピーカ３、右内側スピーカ４および右外側スピーカ５と同一の筐体１に収納したスピーカ装置として説明したが、音場処理部７、音量ボリューム８、左側アンプ９、右側アンプ１０、ＨＰＦ１１およびＨＰＦ１２を、左外側スピーカ２、左内側スピーカ３、右内側スピーカ４および右外側スピーカ５から分離させ、左外側スピーカ２、左内側スピーカ３、右内側スピーカ４および右外側スピーカ５に左右フロントチャンネル信号を供給するオーディオ信号供給装置として構成するようにしても良い。
【００３１】
（第２の実施の形態）
図３は、本発明に係るスピーカ装置の第２の実施の形態の構成を示すブロック図である。
【００３２】
第２実施の形態のスピーカ装置は、図３を参照すると、左外側スピーカ２および左内側スピーカ３を左外側アンプ９ａおよび左内側アンプ９ｂでそれぞれ駆動するように構成されていると共に、右外側スピーカ５および右内側スピーカ４を右外側アンプ１０ａおよび右内側アンプ１０ｂでそれぞれ駆動するように構成され、左内側アンプ９ｂに入力される左フロントチャンネル信号のリヤ成分がミックスされる周波数帯域をカットするＨＰＦ１１ａと、右内側アンプ１０ｂに入力される右フロントチャンネル信号のリヤ成分がミックスされる周波数帯域をカットするＨＰＦ１２ａとが設けられている。
【００３３】
ＨＰＦ１１ａおよびＨＰＦ１２ａは、マイコン１３によってカットオフ周波数を可変にできるように構成されており、マイコン１３は、音場処理部７にサラウンド処理を行わせる場合、すなわち疑似サラウンド出力を行う場合には、上述のように、ＨＰＦ１１ａをオン状態にすることで、ＨＰＦ１１ａによって左内側アンプ９ｂに入力される左フロントチャンネル信号のリヤ成分がミックスされる周波数帯域をカットさせると共に、ＨＰＦ１２ａをオン状態にすることで、ＨＰＦ１２ａによって右内側アンプ１０ｂに入力される右フロントチャンネル信号のリヤ成分がミックスされる周波数帯域をカットさせる。
【００３４】
これに対し、音場処理部７にサラウンド処理を行わせない場合、すなわち単にステレオ出力を行う場合には、ＨＰＦ１１ａをオフ状態にすることで、左フロントチャンネル信号を左内側アンプ９ｂにフルレンジで入力させると共に、ＨＰＦ１２ａをオフ状態にすることで、右フロントチャンネル信号を右内側アンプ１０ｂにフルレンジで入力させ、左右２個ずつのスピーカでフルレンジの左右フロントチャンネル信号をそれぞれ出力させることで、トータルパワーをアップさせることができるようになっている。
【００３５】
また、マイコン１３によってＨＰＦ１１ａおよびＨＰＦ１２ａのカットオフ周波数を適宜設定することにより、映画や音楽のコンテンツで最適の周波数を選択できるようにして、聴取者がベストな音質又はサラウンド空間を作り出せるようにしても良い。
【００３６】
以上説明したように、第２の実施の形態によれば、ＨＰＦ１１ａおよびＨＰＦ１２ａをオンオフ可能し、ＨＰＦ１１ａおよびＨＰＦ１２ａがオフ状態の場合には、左内側スピーカ３から左フロントチャンネル信号をフルレンジで出力させる共に、右内側スピーカ４から右フロントチャンネル信号をフルレンジで出力させるように構成することにより、左右２個ずつのスピーカでフルレンジの左右フロントチャンネル信号をそれぞれ出力させることで、トータルパワーをアップさせることができるという効果を奏する。
【００３７】
さらに、第２の実施の形態によれば、ＨＰＦ１１ａおよびＨＰＦ１２ａによってカットされる周波数帯域を変更可能に構成することにより、映画や音楽のコンテンツで最適の周波数を選択できるようにして、聴取者がベストな音質又はサラウンド空間を作り出すことができるという効果を奏する。
【００３８】
なお、第２の実施の形態では、音場処理部７、音量ボリューム８、左外側アンプ９ａ、左内側アンプ９ｂ、右外側アンプ１０ａ、右内側アンプ１０ｂ、ＨＰＦ１１ａ、ＨＰＦ１２ａおよびマイコン１３を、左外側スピーカ２、左内側スピーカ３、右内側スピーカ４および右外側スピーカ５と同一の筐体１に収納したスピーカ装置として説明したが、音場処理部７、音量ボリューム８、左外側アンプ９ａ、左内側アンプ９ｂ、右外側アンプ１０ａ、右内側アンプ１０ｂ、ＨＰＦ１１ａ、ＨＰＦ１２ａおよびマイコン１３を、左外側スピーカ２、左内側スピーカ３、右内側スピーカ４および右外側スピーカ５から分離させ、左外側スピーカ２、左内側スピーカ３、右内側スピーカ４および右外側スピーカ５に左右フロントチャンネル信号を供給するオーディオ信号供給装置として構成するようにしても良い。
【００３９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４０】
【図１】本発明に係るスピーカ装置の第１の実施の形態の構成を示す前面図である。
【図２】本発明に係るスピーカ装置の第１の実施の形態の構成を示すブロック図である。
【図３】本発明に係るスピーカ装置の第２の実施の形態の構成を示すブロック図である。
【図４】従来のスピーカ装置を用いてサラウンド処理が施された左右フロントチャンネル信号を出力した場合の問題点を説明するための説明図である。
【符号の説明】
【００４１】
１  筐体
２  左外側スピーカ
３  左内側スピーカ
４  右内側スピーカ
５  右外側スピーカ
６  入力端子
７  音場処理部
８  音量ボリューム
９  左側アンプ
９ａ  左外側アンプ
９ｂ  左内側アンプ
１０  右側アンプ
１０ａ  右外側アンプ
１０ｂ  右内側アンプ
１１  ＨＰＦ（左側フィルタ手段）
１１ａ  ＨＰＦ
１２  ＨＰＦ（右側フィルタ手段）
１２ａ  ＨＰＦ
１３  マイコン
２０  聴取者
２Ｌ、３Ｌ、４Ｌ、５Ｌ  音声信号
【図１】
0004558672.tif 000002
【図２】
0004558672.tif 000003
【図３】
0004558672.tif 000004
【図４】
0004558672.tif 000005